(57)【要約】【課題】画像表示モードであるか否かに応じて液晶表示画面の視野角を調整することのできる携帯端末を提供すること。【解決手段】視野角を複数のパターンに切り替え可能な表示手段と、表示手段の視野角を設定する視野角設定手段と、画像または映像を撮影する撮影手段を備えた携帯端末であって、表示手段が撮影手段によって撮影された画像または映像を表示するモードのとき、視野角設定手段は、前記モード以外のモード時に設定されている視野角よりも広い視野角に表示手段を設定する。【選択図】    図４
2004233527.tif 000002
【特許請求の範囲】
【請求項１】
視野角を複数のパターンに切り替え可能な表示手段と、前記表示手段の視野角を設定する視野角設定手段と、を備えた携帯端末であって、
前記表示手段が画像または映像を表示するモードのとき、前記視野角設定手段は、前記モード以外のモード時に設定されている視野角よりも広い視野角に前記表示手段を設定することを特徴とする携帯端末。
【請求項２】
画像または映像を撮影する撮影手段を備え、
前記視野角設定手段は、前記表示手段が前記撮影手段によって撮影された画像または映像を表示するモードのとき、前記表示手段の視野角を前記広い視野角に設定することを特徴とする請求項１記載の携帯端末。
【発明の詳細な説明】
【０００１】
【発明が属する技術分野】
本発明は、カメラ付き携帯電話機等が有する表示画面の視野角制御を行う携帯端末に関する。
【０００２】
【従来の技術】
従来、携帯電話機等の携帯端末では、通信を行う際の情報表示手段として液晶表示画面が用いられている。この液晶表示画面は電話番号や発信者名等の文字情報を表示するものであるが、近年では液晶表示画面のカラー化に伴って画像をカラー表示することが一般的になった。さらに、近年は携帯端末に撮影手段を備えたものもあり、当該携帯端末では、撮影手段を使用する際のモニタ画面として液晶表示画面が利用されている。
【０００３】
【発明が解決しようとする課題】
上記説明した従来の携帯端末が有する液晶表示画面は、そもそも使用者が正面から見て電話番号等の確認を行う程度の用途であったため、表示面積が小さく視野角が狭くても使用上不都合はなかった。しかし、上述の撮影手段を備えた携帯端末では、液晶表示画面に表示された撮影画像を複数の者が見ることもあるが、液晶表示画面の視野角が狭いために、正面から見る者以外は撮影画像を明瞭に見ることができなかった。
【０００４】
図５は、３人の人５１，５２，５３が、従来のカメラ付き携帯電話機５０で集合写真を撮っている様子を示す説明図である。この場合、中央の人５２がカメラ付き携帯電話機５０を持ち、その液晶表示画面を見ながら被写体の構図を決めてシャッターボタンを押すことにより、３人の集合写真を撮ることができる。しかし、従来のカメラ付き携帯電話機５０の液晶表示画面は視野角が狭いため（図５に示す網掛け部分）、両脇の人５１，５３は被写体の構図となる画面（プレビュー画面）を見ることができない。また、撮影画像を見る際にも、両脇の人５１，５３は撮影画像を明瞭に見ることができない。
【０００５】
さらに、カメラ付き携帯電話機５０を用いた撮影は、たとえば、動きながらの撮影であったり、とっさの撮影であったり、固定設置しにくい位置での撮影であったりするので、視野角の狭い液晶表示画面であるとプレビュー画面を確認できないまま撮影を行わなければならない。
【０００６】
一方、カメラ付き携帯電話機５０の液晶表示画面は、Ｅメールやウェブコンテンツを閲覧する際の表示画面としても用いられる。但し、特にＥメール等は他人に見られたくない情報であることが多いため、この場合は液晶表示画面の視野角は狭い方が望ましい。
【０００７】
したがって、画像表示モードであるか否かに応じて液晶表示画面の視野角を調整可能な撮影手段付きの携帯端末が求められていた。
【０００８】
本発明は、上記従来の事情および要望に鑑みてなされたものであって、画像表示モードであるか否かに応じて液晶表示画面の視野角を調整することのできる携帯端末を提供することを目的としている。
【０００９】
【課題を解決するための手段】
上記目的を達成するために、本発明に係る携帯端末は、視野角を複数のパターンに切り替え可能な表示手段と、前記表示手段の視野角を設定する視野角設定手段と、を備えた携帯端末であって、前記表示手段が画像または映像を表示するモードのとき、前記視野角設定手段は、前記モード以外のモード時に設定されている視野角よりも広い視野角に前記表示手段を設定する。したがって、画像または映像を表示するモードのときは、表示手段の正面に立つ者以外も表示画面を明瞭に見ることができる。
【００１０】
また、本発明に係る携帯端末は、画像または映像を撮影する撮影手段を備え、前記視野角設定手段は、前記表示手段が前記撮影手段によって撮影された画像または映像を表示するモードのとき、前記表示手段の視野角を前記広い視野角に設定する。したがって、撮影を行う際や撮影画像または撮影した映像を確認する際は、表示手段の正面に立つ者以外も表示画面を明瞭に見ることができる。
【００１１】
【発明の実施の形態】
以下、本発明に係る携帯端末の実施の形態について、図面を参照して詳細に説明する。なお、以下の説明では、本発明に係る携帯端末をカメラ付き携帯電話機を例に説明する。但し、カメラ付き携帯電話機に限定されず、ＰＤＡ（携帯情報端末）やその他、撮像機能を有する電子機器にも適用可能である。
【００１２】
図１は、一実施形態のカメラ付き携帯電話機の構成を示すブロック図である。同図に示すように、本実施形態のカメラ付き携帯電話機は、アンテナ１と、無線送受信部２と、送受話回路３と、送受話器４と、操作部５と、メモリ６と、特許請求の範囲の表示手段に該当する液晶表示部８と、視野角設定手段に該当する制御部７および視野角切替部９と、撮影手段に該当する撮像素子１０および背面撮像素子１１とを備えて構成されている。
【００１３】
以上の構成要素を備えた本実施形態のカメラ付き携帯電話機では、操作部５が操作され電源が投入されると、制御部７によって各部が動作可能な状態となる。この状態で、操作部５を操作して相手の電話番号をダイヤルするか、メモリ６に登録された相手の電話番号を液晶表示部８へ呼出して発信キーを操作すると、発信信号が無線送受信部２を介してアンテナ１から基地局（図示せず）に無線送信される。これに相手が応答すると、応答信号がアンテナ１を介して無線送受信部２で受信され送受話回路３が動作可能となって、送受話器４を用いて相手と通話可能になる。
【００１４】
液晶表示部８は、電源投入時には電源オンを示す表示を行い、電話番号を入力したときや相手を呼出したときにはその電話番号を表示し、また、相手が応答すればその旨が表示される。操作部５は、ＵＲＬやＥメールアドレスを入力したり、メモリ６に登録されたＵＲＬやＥメールアドレスを液晶表示部８へ呼出すといった入力手段としての機能の他に、撮像素子１０や背面撮像素子１１に対し撮影の指示をするといった機能も含むものである。
【００１５】
視野角切替部９は、制御部７による制御によって液晶表示部８の視野角を切り替えるものであり、本実施形態のカメラ付き携帯電話機がカメラモード（撮影モード）およびプレビューモードでは広視野角に切り替え、それ以外のモードでは狭視野角に切り替える。なお、液晶表示部８は、液晶セルに印加する電圧を変えることにより視角に対する透過率特性が変化する。したがって、入力信号に対する階調電圧変換特性を複数用意し、この階調電圧変換特性を切り換えて液晶セルを駆動することにより、複数の特性が視覚的に合成され視野角を制御することができる。
【００１６】
撮像素子１０および背面撮像素子１１は、被写体撮影時、制御部７によって制御され、液晶表示部８を見ながら操作部５の所定のボタンが操作されると、撮影を行うものである。撮影された画像データはメモリ６に転送され保存される。
【００１７】
図２は、本実施形態のカメラ付き携帯電話機の外観を示す（ａ）正面図および（ｂ）背面図である。本実施形態のカメラ付き携帯電話機は、上部筐体と下部筐体とがヒンジ部１２で折畳可能に結合されている。上部筐体の表面には液晶表示部８および撮像素子１０が設けられ、裏面には背面撮像素子１１が設けられている。また、下部筐体の表面には操作部５が設けられている。
【００１８】
図３は、本実施形態のカメラ付き携帯電話機における（ａ）カメラモード起動時および（ｂ）カメラモード終了時における視野角の切り替えを示すフローチャートである。図３（ａ）に示すように、操作部５の操作によりカメラモード（撮影モード）を起動した場合は、制御部７が撮像素子１０または背面撮像素子１１の初期化を行う（ステップＳ１）。次に、視野角切替部９が液晶表示部８を広視野角に設定する（ステップＳ２）。そして、撮像素子１０または背面撮像素子１１のプレビュー画像を液晶表示部８に表示する（プレビューモード）。
【００１９】
また、図３（ｂ）に示すように、操作部５の操作によりカメラモードを終了する場合は、制御部７はプレビューモードの撮像素子１０または背面撮像素子１１の終了処理を行う（ステップＳ３）。次に、視野角切替部９が液晶表示部８を狭視野角に設定する（ステップＳ４）。そして、カメラモードを終了する。
【００２０】
図４は、本実施形態のカメラ付き携帯電話機の使用状態を示す説明図である。図４（ａ）は、液晶表示部８を狭視野角（図中の網掛け部分）に設定した場合であり、網掛け部分より外側では液晶表示部８の表示は見えにくい。したがって、液晶表示部８の正面に立つ者２１以外はその表示を見ることができないため、Ｅメール等の他人に見られたくない情報を表示する場合に有益である。
【００２１】
一方、図４（ｂ）は、液晶表示部８を広視野角（図中の網掛け部分）に設定した場合であり、液晶表示部８の正面に立たなくても液晶表示部８の表示画面を見ることができる。したがって、図中の網掛け部分に入るように２、３人の人が並んで液晶表示部８のプレビュー画面を見ながら一緒に撮影をする場合に有益である。
【００２２】
以上説明したように、本実施形態のカメラ付き携帯電話機によれば、制御部７による制御によって、液晶表示部８の視野角がカメラモード（撮影モード）およびプレビューモードでは広視野角に切り替えられ、それ以外のモードでは狭視野角に切り替えられる。したがって、撮影を行う際や撮影画像を確認する際は、液晶表示部８の正面に立つ者以外も表示画面を明瞭に見ることができる。一方、カメラモード（撮影モード）およびプレビューモード以外のモードでは液晶表示部８の視野角が狭く設定されるため、ユーザは例えばＥメール等の他人に見られたくない情報を安心して表示することができる。
【００２３】
なお、本実施形態のカメラ付き携帯電話機は、撮像素子を２個（撮像素子１０および背面撮像素子１１）、液晶表示部を１個（液晶表示部８）搭載しているが、撮像素子および液晶表示部の個数にかかわらず、上述の撮影開始および撮影終了のフローチャートを適用し、液晶表示部の視野角を切り替えることができる。また、本実施形態では操作部５の操作に対応してモードを切り替えているが、操作部５の操作に対応して液晶表示部８の視野角だけを切り替えることもできる。さらに、本実施形態では撮像素子１０および背面撮像素子１１によって画像が撮影されるが、動画を撮影するものであっても良い。
【００２４】
【発明の効果】
以上説明したように、本発明に係る携帯端末によれば、画像または映像を表示するモードのときは、表示手段の正面に立つ者以外も表示画面を明瞭に見ることができる。
【図面の簡単な説明】
【図１】一実施形態のカメラ付き携帯電話機の構成を示すブロック図
【図２】一実施形態のカメラ付き携帯電話機の外観を示す（ａ）正面図および（ｂ）背面図
【図３】一実施形態のカメラ付き携帯電話機における（ａ）カメラモード起動時および（ｂ）カメラモード終了時における視野角の切り替えを示すフローチャート
【図４】一実施形態のカメラ付き携帯電話機の使用状態を示す説明図
【図５】３人の人が従来のカメラ付き携帯電話機で集合写真を撮っている様子を示す説明図
【符号の説明】
１  アンテナ
２  無線送受信部
３  送受話回路
４  送受話器
５  操作部
６  メモリ
７  制御部
８  液晶表示部
９  視野角切替部
１０  撮像素子
１１  背面撮像素子
１２  ヒンジ部
【図１】
2004233527.tif 000003
【図２】
2004233527.tif 000004
【図３】
2004233527.tif 000005
【図４】
2004233527.tif 000006
【図５】
2004233527.tif 000007